(57)【要約】【課題】  本発明の目的は、病院の器薬材を保管している無菌場所で、患者別情報を基に、患者別器薬材を一括準備して、手術室へ移動格納する。更に、手術室内において医師や看護師、臨床技士の希望する位置に器薬材を配置して、器薬材情報と患者情報との照合を容易にできる患者別情報コードを付した手術室用移動式戸棚ケースを提供することである。【解決手段】  本発明は、病院の担当医からの情報を基に患者情報コードを作成する。無菌場所で、該患者情報コードを付した移動式戸棚ケースに手術用器薬材を収納して一括準備する。該移動式戸棚ケースは手術室へ移動する。手術室の壁面と水平に引込みの床面を有する壁体に移動式戸棚ケースを格納固定できる複数のフックを設けている。手術時は該移動式戸棚ケースの器薬材と患者装着の情報コード間で照合した上で手術を執り行なうものである。【選択図】図４
2015167853.tif 000002
【特許請求の範囲】
【請求項１】
患者手術形態、手術患者情報、手術に必要な器薬材情報を収納した情報コードを付した移動式戸棚ケース、該器薬材を設置し、戸棚ケースに収納する戸棚からなり、該情報コードに従い該器薬材を戸棚に設置し、戸棚ケースに収納して手術室に運搬し、手術時に患者装着の患者情報と該情報コードを照合することを特徴とする手術管理システム。
【請求項２】
前記、情報コードがバーコードであることを特徴とする請求項１記載の手術管理システム
【請求項３】
前記、移動式戸棚ケースの配置が手術室壁側或いは壁を切り抜いた壁袋に配置できることを特徴とする請求項１記載の手術管理システム
【発明の詳細な説明】
【技術分野】
【０００１】  本発明は、患者別手術用器薬材を一括収納する移動式戸棚ケースであり、患者照合ができ、且つ、手術室のレイアウト変更の容易化を図ることのできる患者別手術備品である移動式戸棚ケースとその管理方法に関する。
【背景技術】
【０００２】  従来、手術に必要な手術器薬材は手術室内の設備として、たとえば、器薬材戸棚、薬品戸棚、各種がそれぞれ別々に保管され、これらの設備は手術室の壁面に沿って埋め込み設置されている、また、壁に固定されているため、器薬材の使い勝手を最も重要視する医師や看護師、臨床技士にとって、器薬材のレイアウトを容易に変更することが難しく、手術時、容易に器薬材を取り出すことが難しい。また、医師などの医療従事者によって異なる場合はあるが、手術室で使用する手術器薬材は診療科目によって異なり、同じ科目であっても患者との照合に加えて、取り違いの煩わしさがある。【０００３】  以下、図５、図６を参照して、従来用いられている手術器薬材の準備方法について説明する。図５において、院内の手術器薬材を保管している無菌場所、例えば中央材料室１８から手術器薬材を矢印経路１９に沿って手術室８に運び、室内に設置している図６の上下部引戸器薬材戸棚１４、上部器薬材戸棚１５、上下部器薬材戸棚１６、薬品戸棚１７等に診療科目を問わず、予め予測できる器薬材を格納している、例えば、薬剤は薬品戸棚、器材は器材戸棚等に収納している、手術時にあらためて医師や看護師、臨床技士の使い勝手で、それらの戸棚から手術器薬材を取り揃えて、手術を遂行している。
【先行技術文献】
【特許文献】
【０００４】
【特許文献１】特開２０１３−１３４６０号公報
【発明の概要】
【発明が解決しようとする課題】
【０００５】  本発明の目的は、病院の器薬材を保管している無菌場所で、患者別情報を基に、患者別器薬材を一括準備して、手術室へ移動格納する。更に、手術室内において医師や看護師、臨床技士の希望する位置に器薬材を配置して、器薬材情報と患者情報との照合を容易にできる患者別情報コードを付した手術室用移動式戸棚ケースを提供することである。
【課題を解決するための手段】
【０００６】  本発明は、病院の担当医からの情報を基に患者情報コードを作成する。無菌場所で、該患者情報コードを付した移動式戸棚ケースに手術用器薬材を収納して一括準備する。該移動式戸棚ケースは手術室へ移動する。手術室の壁面と水平に引込みの床面を有する壁体に移動式戸棚ケースを格納固定できる複数のフックを設けている。手術時は該移動式戸棚ケースの器薬材と患者装着の情報コード間で照合した上で手術を執り行なうものである。【０００７】  前記、手術室の壁面と水平に引っ込みの床面を有する格納壁体（以下、単に「アルコープ」という）は格納できる器薬材と患者情報コードを搭載した格納と移動が自在な移動式戸棚ケースを含むことを特徴とする患者別手術室用設備である。
【発明の効果】
【０００８】  １）本発明によれば、手術器薬材と患者情報コードを搭載した移動式戸棚ケースをアルコープに格納する。移動式戸棚ケースは、格納と移動が自在であるため、手術室内で医師や看護師、臨床技士の希望する位置に容易にレイアウトの変更が実現できる、併せて患者着用の患者情報コードと器薬材の照合が容易であり、医師や看護師、臨床技士による患者取り違いを防止ことができる。
【図面の簡単な説明】
【０００９】
【図１】手術器薬材の準備の手順工程
【図２】本発明による移動式戸棚ケースの斜視図
【図３】本発明による移動式戸棚ケース内部の斜視図
【図４】本発明による格納経壁体付手術室の等角斜視図
【図５】手術室周辺平面図
【図６】従来の埋込格納戸棚付手術室の等角斜視図
【発明を実施するための形態】
【００１０】  以下、本発明の実施形態を図１〜図５に基づいて説明する。
【実施例】
【００１１】  図１は手術スタッフによる手術器薬材の準備の手順を示す。【００１２】  図１、図２、図５を用いて説明をする。図１の手順Ｓ０１で医師や看護師、臨床技士から手術に必要な準備器薬材の患者情報を収集する。手順Ｓ０２で移動式戸棚ケースと手術器薬材を準備する。手順Ｓ０３で内容の確認を行い確定する。手順Ｓ０４端末機で患者情報を作成して、実務者による器薬材の詰込みを行う。手順Ｓ０５で移動式戸棚ケース１に手術器薬材と患者情報コードを搭載して手術室８に運搬移動する。手順Ｓ０６で移動式戸棚ケース１の患者情報コード３ａと器薬材の準備内容を確定する。手順Ｓ０７で移動式戸棚ケース１をアルコープ１０に格納し、格納レバー７をアルコープ１０のフック９とで一時固定する。手順Ｓ０８で執刀医師や看護師、臨床技士の最終確認を行う。手順Ｓ０９で執刀医師や看護師、臨床技士が患者装着の患者情報コードと手術器薬材の照合を行う。【００１３】  情報コードとしては一般的に使用されているバーコード、ＩＣタグ、携帯ＱＲコードなどを適宜に選定することができる。【００１４】  情報コードを読み取り表示する装置はパソコンタブロイド端末、携帯端末など、状況に合わせて適宜選択することができる。【００１５】  図２、図３は移動と格納が自在の移動式戸棚ケースを表す。図２の移動式戸棚ケース１は上扉３に手術器薬材一式を網羅した患者情報コード３ａを備えている。正面扉２はガラス窓付扉であり内部を覗き見ることができる。上部左右隅に運搬のためのキャリーハンドル５と下部四隅にストッパーキャスター４が備えており、フック９に加えて、二重に移動と停止が自由自在にできるようになっている。図３の上扉３は上面中央開きが可能であり、同様に正面扉２は中央開きで内には引出テーブル６が備えられている。それらの引出テーブル６には手術器薬材を収容し、且つ、それらのテーブルは着脱と持ち運びが自在である。背面には格納レバー７を設けている、格納レバー７の左右側には支柱７ａが挿入されている。同様に格納レバー７の左右側には支柱７ｂとバネ７ｃを有し、それらは移動式戸棚ケース１に組み込まれる。格納レバー７は支柱７ａを支点として上下動する。格納レバー７はフック爪９ａに収まり移動式戸棚ケース１がアルコープ１０に格納される。【００１６】  図４は手術室の等角斜影図を表す。手術室の壁面は、壁面と水平に突出する床面を有するアルコープ１０が施され、患者別移動式戸棚ケース１の格納スペースが設けられている。アルコープ１０の壁面には、複数個のフック９が移動式戸棚ケース１の格納レバー７に合致する高さに設けられ、移動式戸棚ケース１の格納レバー７を上下動することでフック爪９ａ間で格納可能にしている。また、天井から懸垂された平面可動式アーム（以下、単に「シリングペンダント」という）１２には、患者情報コード解読可能な端末器１１を備えている。【００１７】  図５は、病院の手術室周辺の平面図を表す。手術室８で手術を執り行うにあたり、手術に必要な患者情報と手術器薬材一式を搭載した移動式戸棚ケース１は中央材料室１８で手術器薬材を事前準備した後、矢印経路１８に沿って手術室８へ一括移動して、移動式戸棚ケース１を格納スペースであるアルコープ８に格納���るまでの移動式戸棚ケース１の流れを矢印で表している。【００１８】  図４の手術室中央に位置する手術ベッド１１ａ上の患者が装着の患者情報コードとアルコープに格納の移動式戸棚ケース上の患者情報コード３ａを端末機１１で照合確認する。
【符号の説明】
【００１９】  １、移動式戸棚ケース
３ａ、患者情報コード
７、格納ハンドル
９，フック
８、手術室
１０、アルコープ
【図１】
2015167853.tif 000003
【図２】
2015167853.tif 000004
【図３】
2015167853.tif 000005
【図４】
2015167853.tif 000006
【図５】
2015167853.tif 000007
【図６】
2015167853.tif 000008